(57)【要約】【課題】洗濯機１上方に設置される物干し装置に対し、洗濯物を干す部分と収納部とを共に引出し可能とし、人との干渉という問題を回避しつつ、その出し入れ操作を容易にできるようにする。【解決手段】洗濯機上物干し装置５は、前側及び下側が開放されかつ洗濯機１上方の空間の側壁Ｗに取付固定されるボックス部６と、このボックス部６内に、洗濯機１上方の空間に位置する格納位置、及びボックス部６から前側に引き出されて洗濯機１前側上方の空間に位置する引出し位置の間を前後方向にスライド移動可能に支持された引出し１０とを備えている。引出し１０は、内部にハンガーパイプ１６が設けられた基部１１と、この基部１１の左側から垂下し、内部に収納部１３が設けられた垂下部１２とからなっていて、前側から見て略Ｌ字状に形成されている。【選択図】図２
2014004348.tif 000002
【特許請求の範囲】
【請求項１】
洗濯機上方の空間に設置される洗濯機上物干し装置であって、
少なくとも前側及び下側が開放され、洗濯機上方の空間の側壁に取付固定されるボックス部と、
上記ボックス部内上部に、該ボックス部内に収容されて洗濯機の上方空間に位置する格納位置と、ボックス部内から前側に引き出されて洗濯機前側の上方空間に位置する引出し位置との間を前後方向にスライド移動可能に支持された引出しとを備え、
上記引出しは、その内部に吊下げ係止部を有し、
引出しの前面には、下端が引出しよりも下側に位置する扉部が設けられ、該扉部の下端に、引出しをスライド操作するための把手部が設けられていることを特徴とする洗濯機上物干し装置。
【請求項２】
請求項１において、
ボックス部の左右側板の一方には、その前側下部を切り欠いてなる切欠き開放部が設けられていることを特徴とする洗濯機上物干し装置。
【請求項３】
請求項２において、
ボックス部の左右側板の他方の内面には、引出しよりも下側に位置する収納部が設けられていることを特徴とする洗濯機上物干し装置。
【請求項４】
請求項１において、
引出しは、内部に吊下げ係止部が設けられた基部と、該基部の左右方向の一側部から垂下した垂下部とからなっていて、前側から見て略Ｌ字状に形成され、
扉部は、引出しの基部に対応して左右方向に延びる横部と、該横部の左右一側に連続し、垂下部に対応して上下方向に延びる縦部とからなる略Ｌ字状とされ、
上記縦部の下端に把手部が設けられていることを特徴とする洗濯機上物干し装置。
【請求項５】
請求項４において、
引出しの垂下部の内部に収納部が設けられていることを特徴とする洗濯機上物干し装置。
【請求項６】
請求項３又は５において、
収納部は、ボックス部内に開放されている棚であることを特徴とする洗濯機上物干し装置。
【請求項７】
請求項１〜６のいずれか１つにおいて、
引出しは、上下方向に開放された枠状のものであり、
ボックス部には、上記引出しを通して下方空間を照明する照明装置と、
人が近付いたことを検知して上記照明装置を点灯させるための人感検知装置とが設けられていることを特徴とする洗濯機上物干し装置。
【発明の詳細な説明】
【技術分野】
【０００１】
本発明は、洗濯機上方の空間に洗濯物等を干すための物干し装置に関する。
【背景技術】
【０００２】
従来、この種の物干し装置として、特許文献１や特許文献２に示されるものが知られている。特許文献１に示されるものでは、洗濯機上の空間の壁部に取り付けられる前面開口型の戸棚本体と、その開口を開閉する折り戸とを備え、折り戸は戸棚本体の上端部に水平な軸線を介して回動可能に支持された上部扉と、この上部扉の下端部に水平な軸線を介して回動可能に支持された下部扉とを備えたものとし、下部扉の前面にハンガー支持具を設け、上部扉及び下部扉を開閉制御装置によって回動させることによって開いて戸棚本体から突出させ、そのハンガー支持具にハンガーを吊り下げて、洗濯機前側上方に洗濯物を干すことができるようにしている。
【０００３】
また、特許文献２のものでは、左右の側枠間に棚部を架設し、左右の側枠の上部又は下部フレーム間に、前端に左右方向の横バーを有するコ字状のスライド部材を前後方向にスライド可能に支持し、引き出したスライドバーの横バーに洗濯物のハンガーをかけるようにしている。
【０００４】
これら引用文献１，２のものでは、いずれも洗濯物を干すための物干し部分（引用文献１では下部扉のハンガー支持具、引用文献２ではスライド部材の横バー）を前方向に移動させて突出させるようにしている。
【先行技術文献】
【特許文献】
【０００５】
【特許文献１】特開２００１−１７８９９６号公報
【特許文献２】特許第４８０７１４２号
【発明の概要】
【発明が解決しようとする課題】
【０００６】
ところで、引用文献２のもののように、物干し部分を引出し可能とする場合において、洗濯物を高い位置に吊り下げると、丈の長い洗濯物でも、下部が洗濯機等と接触することなく干すことができ、空気の流れをスムーズにして乾燥を早めることができるが、その引出しが高いところに位置することとなり、背の低い人にとって手が届き難く、引出しの操作が面倒になる。さりとて、物干し部分の位置を低くすると、それに伴って洗濯物を干す位置も低くなり、洗濯物を高い位置に干せなくなるばかりでなく、引出しが引出し時に人の頭部と干渉する等の問題が生じる。
【０００７】
本発明は斯かる諸点に鑑みてなされたもので、その目的は、洗濯機上方に設置される洗濯機上物干し装置の構造を工夫することで、洗濯物を干す部分を引出し可能とするとともに、物干し位置や人の頭部との干渉という問題を回避しつつ、その出し入れ操作を容易にできるようにすることにある。
【課題を解決するための手段】
【０００８】
上記の目的を達成するために、この発明では、前後方向にスライドする引出しを設け、その引出しの内部に物干し部分を設け、引出しの前面に引出しよりも低い下端を有する扉部を設けて、その扉部下端を引出しのスライド操作のための操作部とするようにした。
【０００９】
具体的には、請求項１の発明は、洗濯機上方の空間に設置される洗濯機上物干し装置として、少なくとも前側及び下側が開放され、洗濯機上方の空間の側壁に取付固定されるボックス部と、このボックス部内上部に、該ボックス部内に収容されて洗濯機の上方空間に位置する格納位置、及びボックス部内から前側に引き出されて洗濯機前側の上方空間に位置する引出し位置の間を前後方向にスライド移動可能に支持された引出しとを備えている。この引出しは、その内部に吊下げ係止部を有し、引出しの前面には、下端が引出しよりも下側に位置する扉部が設けられ、該扉部の下端に、引出しをスライド操作するための把手部が設けられていることを特徴とする。
【００１０】
この請求項１の発明では、洗濯機上方の空間の側壁に取付固定されるボックス部内の上部に引出しが前後方向にスライド移動可能に支持され、この引出しの内部に吊下げ係止部が設けられているので、洗濯物を干すときには、引出しを格納位置から引出し位置に引き出して、その内部の吊下げ係止部に洗濯物を吊せばよく、引出し上部の高い位置にある基部に洗濯物を干すことができるとともに、その洗濯物を吊す際には身体近くで吊すことができ、そのままの状態、或いは引出しを格納位置に戻した状態で洗濯物を干すことができる。
【００１１】
そして、引出しの前面には、下端がその引出しよりも下側に位置する扉部が設けられ、その扉部の下端に、引出しをスライド操作するための把手部が設けられているので、上記引出しを格納位置から引出し位置に引き出したり、逆に引出し位置から格納位置に押し込んだりする際には、その扉部下端の把手部に手を当てて操作すればよく、背が低い人でも引出しに容易に手が届くようになり、引出しのスライド移動を容易に行うことができる。すなわち、扉部は、引出しの取っ手を兼ねていることとなる。
【００１２】
また、引出し前面の扉部の下端を引出しよりも下側に配置することで、その引出しがスライド移動する際に人の頭と干渉することはない。
【００１３】
しかも、引出しの前面が扉部に覆われるので、外観見映えをよくすることができる。
【００１４】
請求項２の発明は、請求項１の発明において、上記ボックス部の左右側板の一方には、その前側下部を切り欠いてなる切欠き開放部が設けられていることを特徴とする。
【００１５】
この請求項２の発明では、ボックス部の左右側板の一方に、その前側下部を切り欠いて切欠き開放部が設けられているので、仮に引出しが格納位置にあっても、ボックスの左右一方から切欠き開放部を通して引出し内部の吊下げ係止部に対する洗濯物の吊り下げ等を行うことができ、洗濯作業が容易になる。
【００１６】
請求項３の発明は、請求項２の発明において、ボックス部の左右側板の他方の内面には、引出しよりも下側に位置する収納部が設けられていることを特徴とする。
【００１７】
この請求項３の発明では、ボックス部の左右側板の内面において引出しよりも下側に位置する収納部が設けられているので、この収納部に洗濯用備品等を収納し又はそれを収納部から取り出す際に、身体近くで洗濯用備品の出し入れをすることができ、洗濯作業をスムーズに行うことができる。
【００１８】
請求項４の発明は、請求項１の発明において、引出しは、内部に吊下げ係止部が設けられた基部と、該基部の左右方向の一側部から垂下した垂下部とからなっていて、前側から見て略Ｌ字状に形成されている。また、扉部は、引出しの基部に対応して左右方向に延びる横部と、該横部の左右一側に連続し、垂下部に対応して上下方向に延びる縦部とからなる略Ｌ字状とされ、上記縦部の下端に把手部が設けられていることを特徴とする。
【００１９】
この請求項４の発明では、引出しは、前側から見て略Ｌ字状に形成されたものであり、その引出しの前面に引出しと同じ略Ｌ字状の扉部が設けられ、その縦部の下端に把手部が設けられているので、上記引出しを格納位置から引出し位置に引き出したり、逆に引出し位置から格納位置に押し込んだりする際には、その扉部において、引出しの垂下部の前側に位置する縦部下端の把手部に手を当てて操作すればよく、背が低い人でもさらに引出しに容易に手が届くようになり、引出しのスライド移動をより一層容易に行うことができる。すなわち、引出しの垂下部及び扉部の縦部は、引出しの取っ手を兼ねていることとなる。
【００２０】
また、左右一側のみに垂下部を有するＬ字状の引出しとすることで、左右全体に亘って垂下部が形成される場合に比べ、その引出しがスライド移動する際に、垂下部が人の頭と干渉することはない。
【００２１】
請求項５の発明は、請求項４の発明において、上記引出しの垂下部の内部に収納部が設けられていることを特徴とする。
【００２２】
この請求項５の発明では、引出しの基部から垂下した垂下部に収納部が設けられているので、この収納部に洗濯用備品等を収納し又はそれを収納部から取り出すときには、上記洗濯物を干すときと同様に、引出しを格納位置から引出し位置に引き出して、その状態で収納部に対し洗濯用備品等を出し入れすればよく、身体近くで洗濯用備品の出し入れをすることができ、洗濯作業をスムーズに行うことができる。この場合、引出しの垂下部（引出しの取っ手）が収納部を兼ねていることとなる。
【００２３】
請求項６の発明は、請求項３又は５の発明において、上記収納部は、ボックス部内に開放されている棚であることを特徴とする。
【００２４】
この請求項６の発明では、洗濯用備品等を収納部としての棚に容易に出し入れすることができる。
【００２５】
請求項７の発明は、請求項１〜６の発明のいずれか１つにおいて、上記引出しは、上下方向に開放された枠状のものであり、ボックス部には、上記引出しを通して下方空間を照明する照明装置と、人が近付いたことを検知して上記照明装置を点灯させるための人感検知装置とが設けられていることを特徴とする。
【００２６】
この請求項７の発明では、人感検知装置が人の近付いたことを検知し、この検知信号を受けて照明装置が点灯し、この点灯により引出しを通して下方空間が照明される。このことで、暗くなりがちな洗濯機周りを自動的に明るくすることができ、洗濯作業を快適に行うことができる。
【発明の効果】
【００２７】
以上説明したように、請求項１の発明によると、洗濯機上方の空間に設置される物干し装置として、ボックス部内上部に引出しを前後方向にスライド移動可能に支持し、その引出しの内部に吊り下げ係止部を設け、引出しの前面に下端が引出しよりも下側に位置する扉部を設け、その扉部の下端に、引出しをスライド操作するための把手部を設けたことにより、引出しを引き出して身体近くで洗濯物の吊り下げを行って洗濯作業をスムーズに行うことができる。また、引出しのスライド操作の際には、その前面の扉部下端の把手部に手を当てて操作すればよく、背が低い人でも引出しに容易に手が届くようになり、引出しのスライド移動を容易に行うことができ、その引出しのスライド移動時に人の頭との干渉を防止することができるとともに、扉部により外観見映えをよくすることができる。
【００２８】
請求項２の発明によると、ボックス部の左右側板の一方に、その前側下部を切り欠いた切欠き開放部を設けたことにより、引出しが格納位置にある引出し内部の吊下げ係止部に対する洗濯物の吊り下げ等をボックス部の左右一方から切欠き開放部を通して行って、洗濯作業を容易にすることができる。
【００２９】
請求項３の発明によると、ボックス部の左右側板の他方の内面に、引出しよりも下側に位置する収納部を設けたことにより、この収納部に対し洗濯用備品等を出し入れするときに、身体近くで洗濯用備品の出し入れして洗濯作業をスムーズに行うことができる。
【００３０】
請求項４の発明によると、引出しを、内部に吊下げ係止部が設けられた基部と、この基部の左右一側から垂下した垂下部とからなる略Ｌ字状のものとし、その引出し前面に、その基部及び垂下部に対応した略Ｌ字状の扉部を設け、その縦部下端に把手部を設けたことにより、その把手部を持って引出しをスライド操作できるので、その操作がさらに容易となる。
【００３１】
請求項５の発明によると、引出しの垂下部の内部に収納部を設けたことにより、この収納部に対し洗濯用備品等を出し入れするときには、引出しを格納位置から引出し位置に引き出して、その状態で収納部に対し洗濯用備品等を出し入れすればよく、身体近くで洗濯用備品の出し入れして洗濯作業をスムーズに行うことができる。
【００３２】
請求項６の発明によると、収納部は、ボックス部内側に開放されている棚としたことにより、洗濯用備品等を収納部に容易に出し入れすることができる。
【００３３】
請求項７の発明によると、引出しを枠状のものとし、ボックス部に、照明装置と、人の近付きを検知して照明装置を点灯させる人感検知装置とを設けたことにより、暗くなりがちな洗濯機周りを自動的に明るくすることができ、洗濯作業を快適に行うことができる。
【図面の簡単な説明】
【００３４】
【図１】図１は、本発明の実施形態１に係る洗濯機上物干し装置が設置された状態を示す正面図である。
【図２】図２は、実施形態１に係る洗濯機上物干し装置を引出しが引出し位置にある状態で斜め下側から見た斜視図である。
【図３】図３は、洗濯機上物干し装置の縦断面図である。
【図４】図４は、洗濯機上物干し装置の横断面図である。
【図５】図５は、引出しの横断面図である。
【図６】図６は、引出しの縦断面図である。
【図７】図７は、引出し前面の扉部の正面図である。
【図８】図８は、実施形態２に係る洗濯機上物干し装置を示す図２相当図である。
【図９】図９は、実施形態２に係る洗濯機上物干し装置を示す図３相当図である。
【図１０】図１０は、実施形態２に係る洗濯機上物干し装置を示す図４相当図である。
【図１１】図１１は、実施形態２に係る洗濯機上物干し装置における引出し前面の扉部を示す図７相当図である。
【発明を実施するための形態】
【００３５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３６】
（実施形態１）
図１において、１は住居の洗面室等に設置された洗濯機で、この洗濯機１は洗面室等の床面に形成したパン２上に設置されている。３は洗濯機１や後述のダウンライト２４等のための電源用コンセント、Ｍは洗濯をする人で、図では洗濯物Ｌを吊そうとする状態を示している。
【００３７】
上記洗濯機１上方の空間には、本発明の実施形態１に係る洗濯機上物干し装置５が設置されている。尚、この実施形態では、「左」及び「右」とは前側から見たときの位置を指すものとする。図２〜図４に示すように、上記物干し装置５は、ボックス部６と、その内部に支持される引出し１０とを備えている。上記ボックス部６は、左右の側板６ａ，６ｂ、天板６ｃ及び後板６ｄからなっていて前側及び下側が開放された矩形箱状のものであり、これら左右の側板６ａ，６ｂ、天板６ｃ又は後板６ｄの少なくとも一部で洗濯機１上方の空間周りの側壁Ｗに取付固定されている。この実施形態では後板６ｄで後側の側壁Ｗに取付固定されている例を示している。
【００３８】
一方、上記引出し１０は上記ボックス部６内に、引出し１０が該ボックス部６内に収容されて洗濯機１の上方空間に位置する格納位置と、引出し１０がボックス部６内から前側に引き出されて洗濯機１前側の上方空間に位置する引出し位置（図２に示す位置）との間を前後方向にスライド移動可能に支持されている。
【００３９】
引出し１０は、前側から見たときに略Ｌ字形状のもので、図２〜図６に示すように、前側から見て右側から左側に向かった後に下側に向かうようにＬ字状に折れ曲がった互いに同じ形状の前板１０ａ及び後板１０ｂと、これら前板１０ａ及び後板１０ｂの上下高さが大きい左端部同士を接続する前後方向に延びる垂直な左側板１０ｃと、前板１０ａ及び後板１０ｂの上下高さが小さい右端部同士を接続する前後方向に延びる垂直な右側板１０ｄと、前板１０ａ及び後板１０ｂの左側下部にあって左右幅が小さい下端部同士を接続する前後方向に延びる水平な底板１０ｅとを有する。
【００４０】
引出し１０における上記右側板１０ｄの右側面（外面）とボックス部６における右側板６ｂの左側面（内面）との間、及び引出し１０の左側板１０ｃ上部の左側面（外面）とボックス部６における左側板６ａの右側面（内面）との間にはそれぞれ同じ高さ位置に左右のスライドレール機構１５，１５が取り付けられている。また、左側板１０ｃの上部と右側板１０ｄとの間には、左右水平方向に延びる吊下げ係止部としてのハンガーパイプ１６が掛け渡されて、このハンガーパイプ１６の両端部は、左側板１０ｃ及び右側板１０ｄに形成した上下２つの取付孔１０ｆ，１０ｆに挿入係止されるブラケット１６ａ，１６ａに支持されている。また、前板１０ａの下部と後板１０ｂの下部との間には、各々の高さ方向の略中央部に前後方向に延びる水平な棚板１７が掛け渡されて固定されている。尚、左側板１０ｃ及び右側板１０ｄに複数の取付孔１０ｆ，１０ｆ，…を高さ方向に並べて形成し、その中でブラケット１６ａが挿入される取付孔１０ｆを変更することで、吊下げ係止部としてのハンガーパイプ１６の高さ位置を調整するようにしてもよい。また、ハンガーパイプ１６に代えて又は加えて、前板１０ａ又は後板１０ｂから内側に突出するようにフックを設けることもできる。
【００４１】
このことで、引出し１０は、前板１０ａ、後板１０ｂ及び左側板１０ｃの各上部、並びに右側板１０ｄの全体で構成されて上下方向に開放された枠状の基部１１と、前板１０ａ、後板１０ｂ及び左側板１０ｃの各下部、並びに底板１０ｅで構成された箱状の垂下部１２とからなり、基部１１は、ボックス部６内側面の上部にスライドレール機構１５，１５によって前後方向にスライド移動可能に支持され、その内部にハンガーパイプ１６（吊下げ係止部）が設けられている。一方、垂下部１２は基部１１の左側から垂下し、その内部には、ボックス部６の内側である基部１１の右側に開放されかつ底板１０ｅ及び棚板１７を有する２段の棚からなる収納部１３が設けられている。そして、これら基部１１及び垂下部１２により、引出し１０は前側から見て略Ｌ字状に形成されている。尚、１９は底板１０ｅ及び棚板１７の右端部の上側近傍に配置されて前板１０ａ及び後板１０ｂの各下部間に掛け渡された転倒防止パイプで、この転倒防止パイプ１９により、底板１０ｅ及び棚板１７に載置された洗濯用備品１８等が転倒して落下するのを防ぐようにしている。
【００４２】
上記引出し１０の前板１０ａ前面には扉部２１が一体的に設けられている。この扉部２１は、図７に示すように、上記引出し１０の基部１１（前板の上部）に対応して左右方向に延びる横部２１ａと、この横部２１ａの左側に連続し、垂下部１２（前板の下部）に対応して上下方向に延びる縦部２１ｂとからなる略Ｌ字状のものである。この扉部２１は、図６に示すように、引出し１０の前面（前板１０ａ）よりも若干大きく形成され、その横部２１ａの右端部及び上端部、横部２１ａ上側ないし縦部２１ｂの左端部、縦部２１ｂの下端部は引出し１０の前面から外側に向かって突出しており、引出し１０が格納位置にあるときに突出部分がボックス部６の前端面に当接してそれを覆うようになっている。そして、縦部２１ｂの下端は、引出し１０の前面下端部によりさらに下側に突出し、その下端部には、引出し１０をスライド操作するための把手部２２が設けられている。
【００４３】
上記ボックス部６の天板６ｃには、その中央部にダウンライト取付孔７が、またその右側に人感センサ取付孔８がそれぞれ貫通形成されている。図３に仮想線にて示すように、ダウンライト取付孔７には、引出し１０の基部１１を通して下方空間を照明する照明装置としてのＬＥＤ等からなるダウンライト２４が取付固定され、人感センサ取付孔８には、人が近付いたことを検知して上記ダウンライト２４を点灯させるための人感センサ２５（人感検知装置）が取付固定されている。
【００４４】
したがって、この実施形態においては、洗濯機１上方の空間の側壁Ｗに洗濯機上物干し装置５のボックス部６が取付固定され、そのボックス部６内に引出し１０が前後方向にスライド移動可能に支持され、この引出し１０の枠状の基部１１にハンガーパイプ１６（吊下げ係止部）が設けられているので、図２に示すように、洗濯物Ｌを干すときには、引出し１０を格納位置から引出し位置に引き出して、そのハンガーパイプ１６に洗濯物Ｌを掛けたハンガーＨを吊せばよい。このことで、引出し１０において高さの高い基部１１に洗濯物Ｌを干すことができ、例えば丈の長い洗濯物Ｌであっても下部が洗濯機１や周りのもの等と干渉することなく干すことができる。そして、このような高い位置に洗濯物Ｌを干すようにしていても、それを吊す際には、洗濯をする人Ｍは、洗濯機１の真上でなく、その前側の空間である身体近くで洗濯物Ｌを吊すことができるようになり、洗濯物Ｌを吊して干す行為を容易に行うことができる。その後、そのままの状態、或いは引出し１０を格納位置に戻した状態で洗濯物Ｌを干すことができる。図１はその動作を示しており、図３にはハンガーパイプ１６に吊された洗濯物Ｌを示している。
【００４５】
また、上記引出し１０の垂下部１２に収納部１３が設けられているので、この収納部１３に洗剤や漂白剤、柔軟剤、洗濯ネット、洗濯ばさみを含む洗濯用備品１８等を収納することができる。この洗濯用備品１８等を収納部１３に収納し又はそれを収納部１３から取り出すときには、上記洗濯物Ｌを干すときと同様に、引出し１０を格納位置から引出し位置に引き出し、その状態で収納部１３に対し洗濯用備品１８等を出し入れし、その後に引出し１０を格納位置に戻せばよい。このことで、洗濯作業をする人Ｍの身体近くで洗濯用備品１８等の出し入れをすることができるようになり、洗濯作業をスムーズに行うことができる。
【００４６】
その際、収納部１３は、基部１１の左側に開放されている棚であるので、洗濯用備品１８等を収納部１３に容易に出し入れすることができる。
【００４７】
上記引出し１０は、前側から見て略Ｌ字状に形成されたものであり、その前面に、引出し１０と同じ略Ｌ字状の扉部２１が設けられ、その縦部２１ｂの突出した下端に把手部２２が設けられているので、上記のように洗濯物Ｌを干したり洗濯用備品１８等を収納部１３に出し入れしたりするために、引出し１０を格納位置から引出し位置に引き出し、逆に引出し位置から格納位置に押し込む際、引出し１０の垂下部１２の下端部に相当する、扉部２１の把手部２２を持って引出し１０をスライド操作すればよい。このことで、背が低い人Ｍでも引出し１０に容易に手が届くようになり、引出し１０のスライド移動を容易に行うことができる。このように引出し１０の垂下部１２は、収納部１３が設けられているだけでなく、その引出し１０をスライド操作するための取っ手を兼ねていることとなる。
【００４８】
また、引出し１０が前から見てＬ字状のものであり、左側のみに垂下部１２が形成されているので、左右全体に亘って垂下部を形成する場合に比べ、その引出し１０のスライド移動に伴い、垂下部１２が人Ｍの頭と干渉することはない。
【００４９】
また、引出し１０の前面が扉部２１に覆われるので、外観見映えをよくすることもできる。
【００５０】
さらに、上記ボックス部６の天板６ｃには、上記引出し１０の上下方向に開放された枠状の基部１１を通して下方空間を照明するダウンライト２４と、人が近付いたことを検知してダウンライト２４を点灯させるための人感センサ２５とが取り付けられているので、洗濯作業をする人Ｍが洗濯機１に近付くと、そのことを人感センサ２５が検知し、この人感センサ２５の検知信号をによりダウンライト２４が点灯する。この点灯により引出し１０の基部１１を通して下方空間が照明され、これは引出し１０が格納位置及び引出し位置のいずれにあっても同様に行われる。このことで、暗くなりがちな洗濯機１周りを自動的に明るくすることができ、洗濯作業を快適に行うことができる。
【００５１】
尚、上記実施形態では、引出し１０の垂下部１２及び扉部２１の縦部２１ｂを左側にしているが、右側に設けてもよいのは言うまでもない。
【００５２】
（実施形態２）
図８〜図１１は本発明の実施形態２を示し（尚、図１〜図７と同じ部分については同じ符号を付してその詳細な説明は省略する）、引出し１０の構造や収納部１３の位置等を変更したものである。
【００５３】
すなわち、この実施形態では、ボックス部６は天板６ｃがなく、前側及び下側に加えて上側にも開放されている。このような開放構造を補強するために、左右側板６ａ，６ｂ前端の上端部間に左右水平方向に延びる前部補強桟６ｅが掛け渡され、この前部補強桟６ｅの左右中央部と後板６ｄの左右中央部との間にも前後水平方向に延びる中央補強桟６ｆが掛け渡されている。
【００５４】
また、ボックス部６の右側板６ｂには、その前側下部を切り欠いてなる切欠き開放部９が設けられている。この切欠き開放部９は、ボックス部６の右側板６ｂの前側下部を上下方向にあっては上下略半部まで、また前後方向にあっては後端寄り位置までそれぞれ矩形状に切り欠くことで形成されている。
【００５５】
また、ボックス部６の左側板６ａの内面には、引出し１０よりも下側に位置する収納部１３が設けられている。この収納部１３は、左側板６ａ内面下半部の前端部に取付固定された前側壁板１３ａと、左側板６ａ内面の下部に取付固定され、前部が前側壁板１３ａの下端部に、また後端部がボックス部６の後板６ｄの下端部にそれぞれ固定された水平な底板１３ｂとを有する。前側壁板１３ａと、この前側壁板１３ａに対向するボックス部６の後板６ｄとの上下中間部間には例えば１枚の棚板１７が掛け渡され、その棚板１７は前側壁板１３ａ及びボックス部６の後板６ｄにダボ（図示せず）により支持されている。このことで、収納部１３は、前側壁板１３ａとボックス部６の後板６ｄとを側壁として両者間に底板１３ｂ及び棚板１７を有しかつボックス部６内（右側）に開放された２段の棚からなり、その底板１３ｂ及び棚板１７の上に洗濯用備品１８等を載置して収納するようにしている。
【００５６】
尚、図示しないが、収納部１３における前側壁板１３ａとボックス部６の後板６ｄとの対向面には高さ方向の異なる複数のダボ穴が形成されており、このダボ穴に挿入されるダボの高さ位置を変えて棚板１７の高さを変更したり、ダボを抜いて棚板１７を取り外したり、ダボを追加して棚板１７を増やしたりできるようになっている。
【００５７】
引出し１０は、上記実施形態１とは異なり、矩形板状の前板１０ａ及び後板１０ｂと、これら前板１０ａ及び後板１０ｂの左端部同士を接続する前後方向に延びる矩形板状の左側板１０ｃと、前板１０ａ及び後板１０ｂの右端部同士を接続する前後方向に延びる矩形板状の右側板１０ｄとを有する。すなわち、引出し１０は、上記実施形態１の基部１１と同様の構成で、上下方向に開放された矩形枠状のものとなっており、ボックス部６内側面の上部にスライドレール機構１５，１５によって前後方向にスライド移動可能に支持され、その内部にハンガーパイプ１６（吊下げ係止部）が設けられている。
【００５８】
また、引出し１０の前板１０ａ前面には扉部２１が一体的に設けられている。この扉部２１は、図１１に示すように、上記引出し１０の前面（前板１０ａ）よりも若干大きく形成され、その周囲端部が引出し１０の前面から外側に向かって突出し、特に上端部及び下端部は引出し１０の前面からそれぞれ上側及び下側に向かって他の周囲端部（左右端部）よりも大きく突出しており、引出し１０が格納位置にあるときに突出部分がボックス部６の前部補強桟６ｅを含む前端面に部分的に当接してそれを覆うようになっている。そして、引出し１０の前面下端部により下側に突出している、扉部２１の下端には、引出し１０をスライド操作するための把手部２２が設けられている。
【００５９】
その他の構成は実施形態１と同じである。
【００６０】
したがって、この実施形態においても実施形態１と同様の作用効果を奏することができる。特に、この実施形態では、ボックス部６の右側板６ｂに、その前側下部を切り欠いてなる切欠き開放部９が設けられているので、引出し１０が格納位置にあっても、ボックス部６の右側から切欠き開放部９を通して引出し１０内部のハンガーパイプ１６（吊下げ係止部）に対する洗濯物Ｌの吊り下げ等を行うことができるようになり、洗濯作業を容易に行うことができる。
【００６１】
また、ボックス部６において、その左側板６ａの内面に収納部１３が引出し１０よりも下側に位置するように設けられているので、この収納部１３に洗濯用備品１８等を収納し又はそれを収納部１３から取り出す際に、身体近くで洗濯用備品１８の出し入れをすることができ、洗濯作業をスムーズに行うことができる。
【００６２】
尚、上記実施形態２では、ボックス部６の右側板６ｂに切欠き開放部９を形成し、左側板６ａに収納部１３を設けているが、逆に、ボックス部６の左側板６ａに切欠き開放部９を、また右側板６ｂに収納部１３をそれぞれ設けることもできる。
【００６３】
（その他の実施形態）
尚、本発明は上記実施形態に限定されず、種々の変形の実施形態を包含している。例えば実施形態１において、ボックス部６の右側板６ｂ（又は左側板６ａ）に実施形態２と同様の切欠き開放部９を形成してもよい。
【００６４】
また、収納部１３は棚以外の構造を採用することができ、扉の付いた箱形状でもよい。また、本発明では、収納部１３は必須ではなく、なくてもよい。
【００６５】
さらに、引出し１０又はその基部１１は、ダウンライト２４を設けない場合等には、枠状にしなくてもよく、板状のものでもよい。
【産業上の利用可能性】
【００６６】
本発明は、洗濯物を干す部分が引出し可能で、人との干渉を招くことなく、その出し入れ操作を容易にすることができるので、極めて有用であり、産業上の利用可能性が高い。
【符号の説明】
【００６７】
Ｍ  人
Ｗ  側壁
Ｌ  洗濯物
１  洗濯機
５  洗濯機上物干し装置
６  ボックス部
６ａ  左側板
６ｂ  右側板
６ｃ  天板
６ｄ  後板
９  切欠き開放部
１０  引出し
１１  基部
１２  垂下部
１３  収納部
１５  スライドレール機構
１６  ハンガーパイプ（吊下げ係止部）
１７  棚板
１８  洗濯用備品
２１  扉部
２１ａ  横部
２１ｂ  縦部
２２  把手部
２４  ダウンライト（照明装置）
２５  人感センサ（人感検知装置）
【図１】
2014004348.tif 000003
【図２】
2014004348.tif 000004
【図３】
2014004348.tif 000005
【図４】
2014004348.tif 000006
【図５】
2014004348.tif 000007
【図６】
2014004348.tif 000008
【図７】
2014004348.tif 000009
【図８】
2014004348.tif 000010
【図９】
2014004348.tif 000011
【図１０】
2014004348.tif 000012
【図１１】
2014004348.tif 000013